(57)【要約】【課題】媒体から切り抜かれる対応画像（切抜印刷物）に対応づけられた識別情報が特定されるようにする。【解決手段】印刷物管理装置１２は、識別情報を示す画像１０２と当該識別情報に対応する１以上の対応画像１０４とが印刷された媒体１００を読み取った画像情報を受け付ける受付手段と、画像情報から、識別情報と、各対応画像１０４の固有情報とを抽出する抽出手段と、抽出手段により抽出された識別情報と各対応画像１０４の固有情報とを関連づけた関連付け情報を記憶する記憶部と、を含む。【選択図】図１
2020048144.tif 000002
【特許請求の範囲】
【請求項１】
識別情報を示す画像と当該識別情報に対応する１以上の対応画像とが印刷された媒体を読み取った画像情報を受け付ける受付手段と、
前記画像情報から、前記識別情報と、前記各対応画像の固有情報とを抽出する抽出手段と、
前記抽出手段により抽出された前記識別情報と前記各対応画像の固有情報とを関連づけた関連付け情報を記憶する記憶部と、を含む、
印刷物管理装置。
【請求項２】
請求項１に記載の印刷物管理装置において、
前記対応画像は、前記媒体から切り抜かれて印刷物となる画像である、
印刷物管理装置。
【請求項３】
請求項１または２に記載の印刷物管理装置おいて、
前記対応画像の固有情報は、紙指紋情報である、
印刷物管理装置。
【請求項４】
請求項３に記載の印刷物管理装置において、
前記紙指紋情報は、前記対応画像における予め定められた画像の位置から予め定められた距離だけ離れた位置にある紙指紋の情報である、
印刷物管理装置。
【請求項５】
請求項３に記載の印刷物管理装置において、
前記紙指紋情報は、前記対応画像の外郭の予め定められた位置から予め定められた距離だけ内側に入った位置にある紙指紋の情報である、
印刷物管理装置。
【請求項６】
請求項３に記載の印刷物管理装置において、
前記対応画像は、上下方向または左右方向の少なくとも一方向において非対称の形状を有し、
前記紙指紋情報は、前記対応画像の非対称の形状を有する方向における一方端の予め定められた位置から予め定められた距離だけ内側に入った位置にある紙指紋の情報である、
印刷物管理装置。
【請求項７】
請求項１または２に記載の印刷物管理装置おいて、
前記対応画像の固有情報は、前記対応画像内にある顔画像の情報である、
印刷物管理装置。
【請求項８】
コンピュータを、
識別情報を示す画像と当該識別情報に対応する１以上の対応画像とが印刷された媒体を読み取った画像情報を受け付ける受付手段、
前記画像情報から、前記識別情報と、前記各対応画像の固有情報とを抽出する抽出手段、
前記抽出手段により抽出された前記識別情報と前記各対応画像の固有情報とを関連づけた関連付け情報を記憶部に記憶する制御を行う記憶制御手段、として機能させる、
プログラム。
【請求項９】
識別情報を示す画像と当該識別情報に対応する１以上の対応画像とが印刷された媒体を読み取った媒体画像情報を受け付ける第１受付手段と、
前記媒体画像情報から、前記識別情報と、前記各対応画像の固有情報とを抽出する第１抽出手段と、
前記第１抽出手段により抽出された前記識別情報と前記各対応画像の固有情報とを関連づけた関連付け情報を記憶部に記憶する制御を行う記憶制御手段と、を含み、
上記の第１受付手段、第１抽出手段および記憶制御手段を用いて一連の記憶処理を行い、
前記媒体から切り抜かれた前記対応画像である切抜印刷物を読み取った印刷物画像情報を受け付ける第２受付手段と、
前記印刷物画像情報から、前記切抜印刷物の固有情報を抽出する第２抽出手段と、
前記第２抽出手段により抽出された前記切抜印刷物の固有情報と、前記関連付け情報とから前記切抜印刷物に対応づけられた識別情報を特定する特定手段と、を含み、
上記の第２受付手段、第２抽出手段、および特定手段を用いて一連の特定処理を行う、
印刷物管理装置。
【請求項１０】
識別情報を示す画像と当該識別情報に対応する１以上の対応画像とが印刷された媒体を読み取った媒体画像情報を受け付け、
前記媒体画像情報から、前記識別情報と、前記各対応画像の固有情報とを抽出し、
当該抽出された識別情報と各対応画像の固有情報とを関連づけた関連付け情報を記憶部に記憶する、
一連の記憶処理と、
前記媒体から切り抜かれた前記対応画像である切抜印刷物を読み取って印刷物画像情報を取得し、
前記印刷物画像情報から、前記切抜印刷物の固有情報を抽出し、
当該抽出された前記切抜印刷物の固有情報と、前記関連付け情報とから前記切抜印刷物に対応づけられた識別情報を特定し、
当該特定された識別情報を画面に表示する、
一連の特定処理と、
を行うことが可能なように使用され、
前記一連の特定処理における、前記切抜印刷物を読み取って前記印刷物画像情報を取得する読取部、および、前記特定された識別情報を画面に表示する表示部を含む、
端末装置。
【請求項１１】
請求項１０に記載の端末装置において、
前記読取部は、撮像装置であり、
前記表示部に、前記撮像装置により撮像されている撮像画像と、その撮像画像にオーバーラップさせた位置合わせ用画像とを表示させ、
前記表示部において、前記位置合わせ用画像に、前記撮像画像における前記切抜印刷物の部分が位置合わせされた状態で、前記撮像装置が前記印刷物画像情報を取得する、
端末装置。
【発明の詳細な説明】
【技術分野】
【０００１】
本発明は、印刷物管理装置、端末装置およびプログラムに関する。
【背景技術】
【０００２】
従来、印刷会社等では、各媒体（用紙）へ１以上の画像を印刷し、各媒体から各画像の部分を切り抜いて、切抜印刷物を製造することが行われている。
【０００３】
また、用紙の固有情報として、例えば紙指紋情報が知られている。紙指紋情報は、用紙を形成する繊維の絡み合いのパターン（用紙ごとに異なる）の情報であり、用紙の真贋判定などに利用されている（例えば特許文献１，２参照）。
【先行技術文献】
【特許文献】
【０００４】
【特許文献１】特許第４２６５１８０号公報
【特許文献２】特開２００９−５０９１号公報
【発明の概要】
【発明が解決しようとする課題】
【０００５】
ところで、印刷会社等では、識別情報（印刷物の依頼者の識別情報、或いは、依頼者が指定する識別情報等）と対応づけられて印刷物が製造されている。媒体から切り抜きを行わない一般的な印刷物の製造では、例えば媒体の余白部分に識別情報を付しておけば、それを参照することで、各印刷物に対応づけられた識別情報を特定することができる。一方、切抜印刷物は、媒体から切り抜かれて製造されるため、印刷物自体に参照可能な識別情報が存在せず、各切抜印刷物に対応づけられた識別情報を特定することができない。
【０００６】
本発明の目的は、切抜印刷物に対応づけられた識別情報が特定されるようにする、ことにある。
【課題を解決するための手段】
【０００７】
請求項１に係る発明は、識別情報を示す画像と当該識別情報に対応する１以上の対応画像とが印刷された媒体を読み取った画像情報を受け付ける受付手段と、前記画像情報から、前記識別情報と、前記各対応画像の固有情報とを抽出する抽出手段と、前記抽出手段により抽出された前記識別情報と前記各対応画像の固有情報とを関連づけた関連付け情報を記憶する記憶部と、を含む、印刷物管理装置である。
【０００８】
請求項２に係る発明は、請求項１に記載の印刷物管理装置において、前記対応画像は、前記媒体から切り抜かれて印刷物となる画像である、ことを特徴とするものである。
【０００９】
請求項３に係る発明は、請求項１または２に記載の印刷物管理装置おいて、前記対応画像の固有情報は、紙指紋情報である、ことを特徴とするものである。
【００１０】
請求項４に係る発明は、請求項３に記載の印刷物管理装置において、前記紙指紋情報は、前記対応画像における予め定められた画像の位置から予め定められた距離だけ離れた位置にある紙指紋の情報である、ことを特徴とするものである。
【００１１】
請求項５に係る発明は、請求項３に記載の印刷物管理装置において、前記紙指紋情報は、前記対応画像の外郭の予め定められた位置から予め定められた距離だけ内側に入った位置にある紙指紋の情報である、ことを特徴とするものである。
【００１２】
請求項６に係る発明は、請求項３に記載の印刷物管理装置において、前記対応画像は、上下方向または左右方向の少なくとも一方向において非対称の形状を有し、前記紙指紋情報は、前記対応画像の非対称の形状を有する方向における一方端の予め定められた位置から予め定められた距離だけ内側に入った位置にある紙指紋の情報である、ことを特徴とするものである。
【００１３】
請求項７に係る発明は、請求項１または２に記載の印刷物管理装置おいて、前記対応画像の固有情報は、前記対応画像内にある顔画像の情報である、ことを特徴とするものである。
【００１４】
請求項８に係る発明は、コンピュータを、識別情報を示す画像と当該識別情報に対応する１以上の対応画像とが印刷された媒体を読み取った画像情報を受け付ける受付手段、前記画像情報から、前記識別情報と、前記各対応画像の固有情報とを抽出する抽出手段、前記抽出手段により抽出された前記識別情報と前記各対応画像の固有情報とを関連づけた関連付け情報を記憶部に記憶する制御を行う記憶制御手段、として機能させる、プログラムである。
【００１５】
請求項９に係る発明は、識別情報を示す画像と当該識別情報に対応する１以上の対応画像とが印刷された媒体を読み取った媒体画像情報を受け付ける第１受付手段と、前記媒体画像情報から、前記識別情報と、前記各対応画像の固有情報とを抽出する第１抽出手段と、前記第１抽出手段により抽出された前記識別情報と前記各対応画像の固有情報とを関連づけた関連付け情報を記憶部に記憶する制御を行う記憶制御手段と、を含み、上記の第１受付手段、第１抽出手段および記憶制御手段を用いて一連の記憶処理を行い、前記媒体から切り抜かれた前記対応画像である切抜印刷物を読み取った印刷物画像情報を受け付ける第２受付手段と、前記印刷物画像情報から、前記切抜印刷物の固有情報を抽出する第２抽出手段と、前記第２抽出手段により抽出された前記切抜印刷物の固有情報と、前記関連付け情報とから前記切抜印刷物に対応づけられた識別情報を特定する特定手段と、を含み、上記の第２受付手段、第２抽出手段、および特定手段を用いて一連の特定処理を行う、印刷物管理装置である。
【００１６】
請求項１０に係る発明は、識別情報を示す画像と当該識別情報に対応する１以上の対応画像とが印刷された媒体を読み取った媒体画像情報を受け付け、前記媒体画像情報から、前記識別情報と、前記各対応画像の固有情報とを抽出し、当該抽出された識別情報と各対応画像の固有情報とを関連づけた関連付け情報を記憶部に記憶する、一連の記憶処理と、前記媒体から切り抜かれた前記対応画像である切抜印刷物を読み取って印刷物画像情報を取得し、前記印刷物画像情報から、前記切抜印刷物の固有情報を抽出し、当該抽出された前記切抜印刷物の固有情報と、前記関連付け情報とから前記切抜印刷物に対応づけられた識別情報を特定し、当該特定された識別情報を画面に表示する、一連の特定処理と、を行うことが可能なように使用され、前記一連の特定処理における、前記切抜印刷物を読み取って前記印刷物画像情報を取得する読取部、および、前記特定された識別情報を画面に表示する表示部を含む、端末装置である。
【００１７】
請求項１１に係る発明は、請求項１０に記載の端末装置において、前記読取部は、撮像装置であり、前記表示部に、前記撮像装置により撮像されている撮像画像と、その撮像画像にオーバーラップさせた位置合わせ用画像とを表示させ、前記表示部において、前記位置合わせ用画像に、前記撮像画像における前記切抜印刷物の部分が位置合わせされた状態で、前記撮像装置が前記印刷物画像情報を取得する、ことを特徴とするものである。
【発明の効果】
【００１８】
請求項１、２、８に係る発明によれば、媒体から対応画像の部分が切り抜かれて切抜印刷物となった際に、その固有情報を取得することで、関連付け情報から、当該切抜印刷物に対応づけられた識別情報が特定される。
【００１９】
請求項３に係る発明によれば、対応画像の画像自体に特徴がない場合でも、媒体から対応画像の部分が切り抜かれて切抜印刷物となった際に、当該切抜印刷物に対応づけられた識別情報が特定される。
【００２０】
請求項４、５、６に係る発明によれば、対応画像における紙指紋情報の取得位置が決定される。
【００２１】
請求項７に係る発明によれば、対応画像内にある顔画像の情報を用いることで、媒体から対応画像の部分が切り抜かれて切抜印刷物となった際に、当該切抜印刷物に対応づけられた識別情報が特定される。
【００２２】
請求項９、１０に係る発明によれば、切抜印刷物に対応づけられた識別情報が特定される。
【００２３】
請求項１１に係る発明によれば、撮像画像における切抜印刷物の部分が位置合わせ用画像に位置合わせされない状態で、印刷物画像情報が取得された場合に比べて、印刷物画像情報からの固有情報の取得が容易になる。
【図面の簡単な説明】
【００２４】
【図１】パッケージ印刷物（切抜印刷物）の製造過程を模式的に示す図である。
【図２】パッケージ印刷物の印刷物管理システムの一例を示すブロック図である。
【図３】一連の登録処理（記憶処理）の流れを示すフローチャートである。
【図４】ＩＤを示す画像と複数のパッケージ画像とが印刷された媒体の一例を示す図である。
【図５】ＩＤを示す画像と複数のパッケージ画像とが印刷された媒体の一例を示す図である。
【図６】パッケージ画像の読取画像情報、および印刷物画像情報の一例を示す図である。
【図７】パッケージ画像の読取画像情報、および印刷物画像情報の一例を示す図である。
【図８】関連付け情報の一例を示す図である。
【図９】パッケージ印刷物が多数混在している様子を示す図である。
【図１０】一連の特定処理の流れを示すフローチャートである。
【図１１】端末装置によりパッケージ印刷物の画像情報（印刷物画像情報）を取得する様子を示す図である。
【図１２】仕分けされたパッケージ印刷物の様子を示す図である。
【図１３】ログの一例を示す図である。
【図１４】端末装置に出荷先を表示させる様子を示す模式図である。
【図１５】宛名データベースの一例を示す図である。
【図１６】端末装置に出荷先を表示させる前と、表示させた後の様子を示す図である。
【発明を実施するための形態】
【００２５】
本発明は、媒体から切り抜かれて製造される切抜印刷物の全般に適用可能である。以下で説明する実施形態は、あくまで本発明を適用した一例であることに留意する必要がある。以下、本発明の実施形態について図面を参照しながら説明する。
【００２６】
従来から、最終形態としてキャラメルや飴などの菓子箱（商品箱）になるパッケージ印刷物の製造が行われている。例えば、パッケージ印刷物は、展開図の形態で１枚の媒体に複数個、面付け印刷されて（図４参照）、各展開図が媒体から切り抜かれる。そして、各パッケージ印刷物（展開図の形態）をパッケージ組立体に組み立てた後、各パッケージ組立体へ中身（キャラメルや飴など）が入れられる。
【００２７】
近年、結婚式や子供の誕生祝い等の配布用として、上記のような菓子箱の表面に、新郎新婦や子供等の顔写真や名前等を入れるサービスがある。このサービスは、例えば、次のように行われている。
【００２８】
まず、新郎新婦や子供の親などの最終顧客から、ブランドオーナー（例えば菓子会社）に、顔写真や名前等のデータが渡される。そして、ブランドオーナー、または、その関係業者（以下、ブランドオーナー等と言う）は、最終顧客毎にＩＤ（識別情報）を付し、最終顧客（ＩＤ）毎に顔写真や名前等のデータからパッケージ印刷物の印刷データ（展開図の形態の印刷データ）を作成する。そして、ブランドオーナー等は、多数の最終顧客に関するＩＤと、各ＩＤに対応づけた印刷データとを印刷会社へ渡す。
【００２９】
印刷会社は、各ＩＤに対応づけられた印刷データに基づいてパッケージ印刷物を製造する。具体的には、上記したように、パッケージ印刷物（展開図の形態）を１枚の媒体に複数個、面付け印刷し、各展開図を媒体から切り抜く。この際、各ＩＤに対応するパッケージ印刷物の数は少数である（部数が少ない）ことが多いため、各ＩＤに対応するパッケージ印刷物がまとめて印刷および切り抜かれ、それらが混在した状態になり得る。印刷会社は、製造したパッケージ印刷物をＩＤ毎に仕分けした上でブランドオーナー等に納品する。そして、ブランドオーナー等は、納品されたパッケージ印刷物をパッケージ組立体に組み立て、パッケージ組立体の中へ、中身を入れた後、各最終顧客へ出荷する。
【００３０】
このようなサービスにおいて、上記した印刷会社によるパッケージ印刷物のＩＤごとの仕分け作業が、大きな負担となっている。すなわち、パッケージ印刷物は、媒体から切り抜かれた印刷物（切抜印刷物）であり、切り抜かれない一般的な印刷物のように余白等に参照可能なＩＤを付しておくことができない。そのため、印刷物自体からＩＤを特定することができず、簡単に仕分け作業を行えない。また、上記したようにパッケージ印刷物の印刷データは、ブランドオーナー等により作成されて印刷会社に渡されるため、印刷会社が、仕分け作業のためにその印刷データを編集してＩＤを付加することも難しい。そこで、仕分け作業のために、印刷会社では、例えば、ＩＤとそれに対応したパッケージ印刷物の印刷データとを印刷した確認用紙を事前に作成しておき、仕分け作業は、その確認用紙を見ながら行っている。
【００３１】
本実施形態は、上記サービスにおける印刷会社のパッケージ印刷物の仕分け作業のために、各パッケージ印刷物に対応づけられたＩＤ（識別情報とも言う）を、確認用紙を使う場合に比べて、容易に特定できるようにする。以下、この実施形態について詳細に説明していく。
【００３２】
図１は、印刷会社におけるパッケージ印刷物１０６（切抜印刷物とも言う）の製造過程を模式的に示す図である。図１に示すように、媒体１００に複数のパッケージ画像１０４（ブランドオーナーから渡される印刷データ）が印刷されて、それらが媒体１００から切り抜かれて、各パッケージ印刷物１０６となる。各パッケージ印刷物１０６は、ＩＤ（最終顧客）ごとに仕分けされ、ブランドオーナーへ納品される。ブランドオーナーから印刷会社へは、ＩＤごとの発注部数が伝えられ、印刷会社は、ＩＤごとに、発注部数だけのパッケージ印刷物１０６を製造することになる。
【００３３】
本実施形態は、１枚の媒体１００に、ＩＤを示す画像１０２（識別情報を示す画像とも言う）と、そのＩＤに対応づけられた１以上のパッケージ画像１０４（対応画像とも言う）とを印刷する特徴を有する。１枚の媒体１００には、所定個（図１では６個）のパッケージ画像１０４が印刷され、発注部数に応じて、複数枚の媒体１００に同一ＩＤのパッケージ画像１０４が印刷され得る。
【００３４】
また、本実施形態は、仕分け作業において各パッケージ印刷物１０６に対応づけられたＩＤを特定するために、製造過程に、一連の登録処理（記憶処理）と、一連の特定処理とを含む特徴を有する。
【００３５】
一連の登録処理は、各媒体１００を読取装置１６（イメージスキャナ等）で読み取って媒体画像情報を取得し、各媒体像情報からＩＤと、各パッケージ画像１０４の固有情報とを抽出し、抽出されたＩＤと各パッケージ画像の固有情報とを関連づけた関連付け情報を印刷物管理装置１２（サーバ）に記憶するものである。
【００３６】
一連の特定処理は、媒体１００から切り抜かれたパッケージ画像１０４であるパッケージ印刷物１０６を端末装置１８のカメラで読み取って印刷物画像情報を取得し、印刷物画像情報からパッケージ印刷物１０６の固有情報を抽出し、抽出されたパッケージ印刷物１０６の固有情報と、印刷物管理装置１２にある関連付け情報とからパッケージ印刷物１０６に対応づけられたＩＤを特定し、特定されたＩＤを端末装置１８の画面に表示するものである。
【００３７】
一連の登録処理と一連の特定処理とは、印刷物管理装置１２、または、印刷物管理システムを用いて実現される。図２は、印刷物管理システム１０の一例を示すブロック図である。印刷物管理システム１０は、媒体にＩＤを示す画像とＩＤに対応する各パッケージ画像とを形成する画像形成装置１４と、媒体を読み取って媒体画像情報を取得する読取装置１６と、媒体画像情報からＩＤとパッケージ画像の固有情報とを抽出し、それらを関連づけた関連付け情報を記憶する印刷物管理装置１２と、一連の特定処理に用いられる端末装置１８とを含む。
【００３８】
画像形成装置１４は、媒体に画像を形成できれば方式は限定されず、例えば、電子写真方式の印刷装置、インクジェット方式の印刷装置、或いは、オフセット印刷機などを使用できる。本実施形態では、画像形成装置１４として、電子写真方式の印刷装置を用いる。図２に示すように、画像形成装置１４は、制御部６０と、記憶部６２と、媒体に画像を形成する画像形成部６４（印刷部）と、画像形成された媒体を読み取るインラインセンサ６６（読取部）と、画像形成装置１４をネットワーク２０に接続するための通信インタフェース（ＩＦ）である通信部６８とを含む。なお、画像形成装置１４は、それに接続された印刷サーバ９４（図１参照）を介して、ネットワーク２０に接続されてもよい。
【００３９】
読取装置１６は、イメージスキャナ等である。図２に示すように、読取装置１６は、制御部７０と、記憶部７２と、媒体を読み取る読取部７４と、読取装置１６をネットワーク２０に接続するための通信インタフェース（ＩＦ）である通信部７６とを含む。なお、読取装置１６は、それに接続されたパーソナルコンピュータ等の端末装置（不図示）を介して、ネットワーク２０に接続されてもよい。
【００４０】
印刷物管理装置１２は、制御部２２と、記憶部２４とを備えた情報処理装置である。制御部２２は、ＣＰＵ等のプロセッサを含み、印刷物管理装置１２にインストールされているプログラムに従って情報処理を実行する。それにより、制御部２２は、第１受付部３０、第１抽出部３２、記憶制御部３４、第２受付部３６、第２抽出部３８、および特定部４０として機能する。なお、第１受付部３０は第１受付手段（或いは受付手段）として機能し、同様に、第１抽出部３２は第１抽出手段（或いは抽出手段）として、記憶制御部３４は記憶制御手段として、第２受付部３６は第２受付手段として、第２抽出部３８は第２抽出手段として、特定部４０は特定手段として機能する。記憶部２４は、ハードディスク等であり、制御部２２が実行するプログラムや、関連付け情報５０、後述するログ５２等を記憶する。印刷物管理装置１２は、ネットワークインタフェース（ＩＦ）としての通信部２６を含み、ＬＡＮやインターネット等であるネットワーク２０を介して、画像形成装置１４、読取装置１６、および端末装置１８に接続されている。
【００４１】
なお、印刷物管理装置１２で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムは印刷物管理装置１２にインストールされる。
【００４２】
端末装置１８は、携帯型の端末装置であり、スマートフォンやタブレット等であり得る。端末装置１８は、制御部８０と、記憶部８２と、ＵＩ（ユーザインターフェイス）部８４（操作部および表示部）と、カメラ８６（撮像装置、読取部）と、通信部８８とを含む。制御部８０は、ＣＰＵ等のプロセッサを含み、端末装置１８にインストールされているプログラムに従って情報処理を実行する。それにより、制御部８０は、読取制御部９０および表示制御部９２として機能する。なお、読取制御部９０は読取制御手段として、表示制御部９２は表示制御手段として機能する。記憶部８２は、フラッシュメモリ等であり、制御部８０が実行するプログラム等を記憶する。端末装置１８は、ネットワークインタフェース（ＩＦ）としての通信部８８を用いて、ネットワーク２０に接続される。
【００４３】
なお、端末装置１８で用いるプログラムは、通信手段により提供することはもちろん、ＵＳＢメモリ等のコンピュータ読み取り可能な記録媒体に格納して提供することも可能である。通信手段や記録媒体から提供されたプログラムは端末装置１８にインストールされる。
【００４４】
次に、一連の登録処理（記憶処理）と、一連の特定処理について詳細に説明する。図３は、一連の登録処理の流れを示すフローチャートである。図３を参照しながら、一連の登録処理について説明する。
【００４５】
図３のＳ１００で、各媒体の印刷データの作成をする。これは、ブランドオーナーから渡される、ＩＤと、ＩＤに対応づけられたパッケージ画像の印刷データとを用いて行う。図４に示すように、１枚の媒体１００に、ＩＤを示す画像１０２と、そのＩＤに対応づけられたパッケージ画像１０４とが印刷されるように、印刷データを作成する。１枚の媒体１００には、パッケージ画像１０４が所定個だけ面付けされる。
【００４６】
図４は、ＩＤを示す画像１０２と、そのＩＤの対応づけられた複数のパッケージ画像１０４とが印刷された媒体１００の一例を示す図である。図５は、図４とは別のＩＤに関する媒体１００の一例であり、図４と同様に、ＩＤを示す画像１０２と、そのＩＤの対応づけられた複数のパッケージ画像１０４とが印刷されている。図４，５に示すように、各パッケージ画像１０４は、ロゴ部１１０と、顔画像部１１２と、名前部１１４とを含む。前述したように、パッケージ画像（パッケージ印刷物）の印刷データは、ブランドオーナーが最終顧客から渡された顔画像と名前を用いて作成し、顔画像と名前はそれぞれ、パッケージ画像１０４における顔画像部１１２と名前部１１４に用いられる。よって、図４，５に示すように、最終顧客（ＩＤ）が異なれば、パッケージ画像１０４における顔画像部１１２と名前部１１４の内容は異なることになる。このように、本実施形態の印刷は、いわゆるバリアブル印刷である。なお、パッケージ画像１０４のロゴ部１１０（図４，５における「キャンディ」）の内容は、各ＩＤで同じである。
【００４７】
なお、Ｓ１００の印刷データの作成は、パーソナルコンピュータ等の端末装置９６（図１参照）を用いて印刷サーバ９４を操作することにより行うこともできる。
【００４８】
次に、Ｓ１０２で、Ｓ１００において作成した媒体１００の印刷データを用いて、各媒体１００に印刷を行う。具体的には、画像形成装置１４の画像形成部６４（印刷部）により、各媒体１００に画像を形成する（印刷する）。それより、図４，５に示すような、画像が形成された各媒体１００が得られる。
【００４９】
次に、Ｓ１０４で、画像形成された各媒体１００を読取装置１６で読み取り、各媒体画像情報を取得する。なお、この際、図１に示す読取装置１６（画像形成装置１４と別体の読取装置）ではなく、画像形成装置１４が備えている読取装置（イメージスキャナ、不図示）や、ＩＬＳ６６（インラインセンサ）を用いることもできる。ＩＬＳ６６は、画像形成装置１４の画像形成部６４により形成された媒体１００上の画像を、媒体１００が画像形成装置１４から排紙される前に、読み取るセンサである。このように、画像形成装置１４が備えている読取装置（イメージスキャナ）やＩＬＳ６６が用いられる場合には、図１，２に示す画像形成装置１４とは別体の読取装置１６は不要となる。
【００５０】
Ｓ１０４で、各媒体１００を読み取ることで取得された各媒体画像情報は、読取装置１６または画像形成装置１４から、ネットワーク２０を介して、印刷物管理装置１２へ送信される。
【００５１】
次に、Ｓ１０６で、印刷物管理装置１２の第１受付部３０は、読取装置１６または画像形成装置１４からの各媒体画像情報を受け付ける。そして、印刷物管理装置１２の第１抽出部３２が、各媒体画像情報の、ＩＤを示す画像の部分からＩＤを抽出し、各パッケージ画像の部分から各固有情報を抽出する。ここで抽出する各パッケージ画像の固有情報は、紙指紋情報である。
【００５２】
図６は、媒体画像情報の中の１つのパッケージ画像の部分（パッケージ画像の読取画像情報１２０ａ）の一例と、その中の紙指紋情報の抽出位置（紙指紋取得領域１２８とも言う）の一例とを示す図である。図６に示すように、例えば、紙指紋取得領域１２８は、パッケージ画像におけるロゴ部１２２の位置から予め定められた距離だけ離れた位置（領域）とすることができる。すなわち、取得（抽出）される紙指紋情報は、パッケージ画像における予め定められた画像の位置から予め定められた距離だけ離れた位置にある紙指紋の情報とすることができる。
【００５３】
また、紙指紋情報の抽出（取得）位置は、その他にも様々なものが考えられる。図７は、別の紙指紋情報の取得位置（紙指紋取得領域１２８）を示す図である。図７に示すように、パッケージ画像は、展開図の形態の画像であるため、水平方向（Ｘ方向、左右方向）または垂直方向（Ｙ方向、上下方向）のいずれかが非対称の形状であることが多い。図７では、パッケージ画像は、Ｘ方向に非対称の形状を有している。そこで、例えば、パッケージ画像（対応画像）の非対称の形状を有する方向（図７ではＸ方向）における一方端の上部Ｐ（外郭）の位置から、予め定められた距離だけ内側に入った領域を、紙指紋取得領域１２８としてもよい（図７参照）。ここで、一方端は、例えば、垂直方向（Ｙ方向）の幅が小さい方の端（図７では左端）などと決めておけばよい。このようにすれば、パッケージ画像における紙指紋取得領域１２８が一意に決定される。すなわち、例えば、定形サイズの長方形の媒体であれば、上下方向および左右方向に対称の形状であり、１８０度回転させても同一の形状である。そのため、一方端の上部といっても、その場所は一意に決定されず、紙指紋取得領域１２８は一意に決定されない。しかし、非対称の形状を有するパッケージ画像であれば、上記したように、パッケージ画像の外郭の予め定められた位置を基準に、紙指紋取得領域１２８が一意に決定される。
【００５４】
次に、図３のＳ１０８で、印刷物管理装置１２は、Ｓ１０６において抽出されたＩＤと各パッケージ画像１０４の紙指紋情報とを関連づけた関連付け情報５０を生成する。図８は、関連付け情報５０の一例を示す図である。関連付け情報５０における紙指紋情報は、紙指紋の画像情報（画像データ）、紙指紋の画像情報を符号化した情報、或いは、紙指紋の画像情報が格納される場所を示す情報（リンク先情報）等であり得る。なお、各ＩＤに関連づけられる紙指紋情報の数は、各ＩＤに対応づけられたパッケージ画像の数、すなわち、各最終顧客のパッケージ印刷物の発注部数となる。
【００５５】
そして、図３のＳ１１０で、印刷物管理装置１２の記憶制御部３４は、Ｓ１０８で生成された関連付け情報５０を記憶部２４に記憶（登録）する。
【００５６】
以上が、一連の登録処理（記憶処理）である。一連の登録処理の完了後、図１の右上に示すように、各媒体１００から各パッケージ画像１０２が切り抜かれて、各パッケージ印刷物１０６となる。この際、各ＩＤに対応づけられたパッケージ印刷物１０６は、図９に示すように、混在した状態になり得る。このような混在した多数のパッケージ印刷物１０６を、ＩＤごとに仕分けしてブランドオーナーに納品するために、各パッケージ印刷物のＩＤを特定する必要がある。そこで、一連の特定処理を行う。
【００５７】
図１０は、一連の特定処理の流れを示すフローチャートである。図１０を参照しながら、一連の特定処理について説明する。
【００５８】
まず、Ｓ２００で、端末装置１８のカメラ８６（撮像装置）により、パッケージ印刷物１０６を読み取り印刷物画像情報を取得する。端末装置１８は、例えば、図９に示すように、前面にタッチパネル等のＵＩ部８４が配置され、裏面にカメラ８６が配置された携帯型の端末装置である。端末装置１８のカメラ８６と対向させてパッケージ印刷物１０６を配置し、それを撮影して（読み取って）印刷物画像情報を取得する。
【００５９】
図１１は、端末装置１８によりパッケージ印刷物の印刷物画像情報を取得する様子の一例を示す図である。図１１（Ａ）に示すように、端末装置１８のＵＩ部８４（表示部）に、パッケージ印刷物の輪郭形状１４０（位置合わせ用画像とも言う）を表示する。この輪郭形状の情報は、例えば、端末装置１８の記憶部８２に予め記憶しておく、或いは、ネットワーク２０を介して印刷物管理装置１２から取得する。輪郭形状の情報は、印刷物管理装置１２が、一連の登録処理において媒体画像情報から取得してもよい。具体的には、媒体画像情報のパッケージ画像１０４の部分に対して、所望の画像処理（例えばエッジ強調等）を施すことで、パッケージ画像１０４の輪郭形状を取得する。
【００６０】
図１１（Ａ）のようにＵＩ部８４にパッケージ印刷物の輪郭形状１４０が表示された状態で、カメラ８６によりパッケージ印刷物が撮像され、撮像画像がＵＩ部８４に表示される。それにより、図１１（Ｂ）に示すように、ＵＩ部８４（表示部）には、撮像画像と、その撮像画像にオーバーラップさせた輪郭形状１４０とが表示された状態となる。ユーザは、図１１（Ｂ）に示すように、ＵＩ部８４において、撮像画像におけるパッケージ印刷物の部分１４４が輪郭形状１４０に合うように、端末装置１８またはパッケージ印刷物を位置合わせする。
【００６１】
そして、図１１（Ｂ）に示すように、ＵＩ部８４において、輪郭形状１４０に、撮像画像のパッケージ印刷物の部分１４４が位置合わせされた状態で、カメラ８６がパッケージ印刷物を読み取り印刷物画像情報を取得する。この読み取りは、ユーザがシャッターボタンを押すこと、或いは、位置合わせされたときにカメラ８６が自動でシャッターをきることで行われる。なお、この読み取りは、端末装置１８の読取制御部９０を用いて行われる。
【００６２】
端末装置１８により取得された印刷物画像情報は、印刷物管理装置１２へ送信される。そして、印刷物管理装置１２の第２受付部３６が、それを受け付ける。
【００６３】
次に、図１０のＳ２０２で、印刷物管理装置１２の第２抽出部３８が、印刷物画像情報から、パッケージ印刷物の紙指紋情報を抽出する。この際の紙指紋取得領域は、図６，７に示した一連の登録処理におけるパッケージ画像の紙指紋取得領域１２８と同じである。
【００６４】
なお、前述したように、印刷物画像情報は、端末装置１８において、パッケージ印刷物の輪郭形状１４０に、撮像画像におけるパッケージ印刷物の部分１４４が位置合わせされた状態で取得されている。それにより、位置合わせ用画像１４０に合わされない状態で、パッケージ印刷物の画像が読み取られた（撮影された）場合に比べて、読み取られたパッケージ印刷物の画像情報（印刷物画像情報）における紙指紋取得領域１２８の位置が容易に特定できるようになっている。すなわち、パッケージ印刷物（切抜印刷物）は、定形サイズの印刷物と異なり様々な形状を有するため、端末装置１８で印刷物画像情報を取得する際、例えばパッケージ印刷物が大きく傾いた状態で、その情報が取得されてしまうことがある。この場合、印刷物画像情報において紙指紋取得領域を特定することが、非常に困難になる。しかし、本実施形態のように、撮像画像におけるパッケージ印刷物の部分１４４が位置合わせ用画像１４０に位置合わせされた状態で印刷物画像情報が取得されていれば、印刷物画像情報においてパッケージ印刷物が大きく傾いていることがなく、紙指紋取得領域が容易に特定される。
【００６５】
次に、図１０のＳ２０４で、印刷物管理装置１２の特定部４０は、Ｓ２０２において抽出された紙指紋情報と、記憶部２４にある関連付け情報５０とから、端末装置１８のカメラ８６で読み取られたパッケージ印刷物１０６に対応づけられたＩＤを特定する。具体的には、Ｓ２０２で抽出された紙指紋情報を、関連付け情報５０（図８参照）に登録された複数の紙指紋情報の中から探索し、探索された紙指紋情報に関連づけられたＩＤを特定する。そして、印刷物管理装置１２は、特定されたＩＤを端末装置１８へ送信する。
【００６６】
次に、図１０のＳ２０６で、端末装置１８は、印刷物管理装置１２から特定されたＩＤを受け付け、ＵＩ部８４（表示部）に表示する。図１１（Ｂ）には、特定されたＩＤである「００１２３」が、ＵＩ部８４に表示されている様子が示されている。なお、このＩＤをＵＩ部８４に表示する制御は、端末装置１８の表示制御部９２を用いて行われる。
【００６７】
以上が、一連の特定処理である。このような一連の特定処理を、各パッケージ印刷物に対して行うことで、各パッケージ印刷物に対応づけられたＩＤが特定され、図１２に示すようにＩＤごとにパッケージ印刷物１０６が仕分けられる。
【００６８】
以上説明したように、媒体１００からパッケージ画像１０４（対応画像）の部分が切り抜かれてパッケージ印刷物１０６（切抜印刷物）となった際に、その紙指紋情報（固有情報）を取得することで、関連付け情報５０から、当該パッケージ印刷物１０６に対応づけられたＩＤ（識別情報）が特定される。
【００６９】
また、以上説明したように、パッケージ画像１０４（およびパッケージ印刷物１０６）の固有情報として、紙指紋情報を用いれば、パッケージ画像１０４（およびパッケージ印刷物１０６）の画像自体に特徴がない場合でも、媒体１００からパッケージ画像１０４の部分が切り抜かれてパッケージ印刷物１０６となった際に、当該パッケージ印刷物１０６に対応づけられたＩＤが特定される。
【００７０】
なお、以上説明した実施形態のように、パッケージ画像１０４に顔画像部１１２や名前部１１４が含まれ（図４，５参照）、パッケージ画像１０４の画像自体に特徴がある場合には、その画像自体を、パッケージ画像１０４（およびパッケージ印刷物１０６）の固有情報としてもよい。
【００７１】
例えば、パッケージ画像１０４の固有情報として顔画像情報を用いる場合には、次のように処理が行われる。まず、一連の登録処理において、各媒体画像情報からＩＤと、各パッケージ画像１０４内にある顔画像部１１２の情報（顔画像情報）とを抽出し、抽出されたＩＤと各パッケージ画像１０４の顔画像情報とを関連づけた関連付け情報５０を生成し、印刷物管理装置１２の記憶部２４に記憶する。なお、この関連付け情報５０における顔画像情報は、顔画像の画像情報（画像データ）、顔画像の画像情報を符号化した情報、或いは、顔画像の画像情報が格納される場所を示す情報（リンク先情報）等であり得る。そして、一連の特定処理において、パッケージ印刷物１０６を読み取って印刷物画像情報を取得し、印刷物画像情報からパッケージ印刷物１０６の顔画像情報を抽出し、抽出された顔画像情報と印刷物管理装置１２の記憶部２４にある関連付け情報５０とから、パッケージ印刷物１０６に対応づけられたＩＤを特定する。
【００７２】
なお、以上説明した各実施形態において、一連の特定処理が行われた各パッケージ印刷物１０６のログを管理してもよい。図１３は、ログ５２の一例を示す図である。図１３に示すように、ログ５２は、例えば、ＩＤと、紙指紋情報と、一連の特定処理の完了日時とが対応づけられたものである。ログ５２は、例えば、印刷物管理装置１２の記憶部２４に記憶され、印刷物管理装置１２において一連の特定処理が行われるたびに更新されるようにする。このようなログ５２は、各パッケージ印刷物１０６に対して処理が行われたことを示す証拠（エビデンス）として使用できる。
【００７３】
以上説明した各実施形態は、印刷会社における処理であり、一連の登録処理で生成された関連付け情報５０は、印刷会社内だけで利用されるものであった。しかし、関連付け情報５０は、印刷会社外で利用されてもよい。以下では、ブランドオーナー等が、関連付け情報５０を利用する実施形態について説明する。
【００７４】
図１４は、ブランドオーナー等において関連付け情報５０を利用する実施形態を説明するための図であり、端末装置１８に最終顧客の住所等（出荷先）を表示させる様子を示す模式図である。図１４において、破線の内側は、ブランドオーナー等が行う処理が示されている。
【００７５】
前述したように、印刷会社からブランドオーナー等にパッケージ印刷物（展開図の形態）が納品され、ブランドオーナー等は、納品された各パッケージ印刷物を組み立ててパッケージ組立体１５０にし、パッケージ組立体１５０へ中身（飴やキャラメルなど）を入れる。このようにして完成した商品は、ブランドオーナー等から最終顧客へ発送される。この際、ブランドオーナー等は、関連付け情報５０を利用することにより、各パッケージ組立体１５０の出荷先（最終顧客の住所等）を確認する。
【００７６】
図１４に示すように、印刷会社にある印刷物管理装置１２から、ブランドオーナー等のサーバ１３に、関連付け情報５０が渡される。サーバ１３には、図１５に示すような宛名データベース１５６が記憶されている。宛名データベース１５６は、各ＩＤ（最終顧客）に対応づけられた出荷先（住所および氏名）の情報である。サーバ１３に、関連付け情報５０（図８参照）と、宛名データベース１５６（図１５参照）とを格納することにより、ＩＤを介して、関連付け情報５０にある各紙指紋情報と、宛名データベース１５６にある各出荷先（住所および名前）との対応づけが可能となる。
【００７７】
図１４に示す端末装置１８は、図１，２に示した端末装置１８と同様に携帯型の端末装置であり、スマートフォンやタブレット等であり得る。図１４に示すように、端末装置１８のカメラ８６によりパッケージ組立体１５０を撮影し（読み取り）、パッケージ組立体１５０の画像情報を取得する。
【００７８】
図１６は、ブランドオーナー等における端末装置１８のＵＩ部８４（表示部）に表示される画像の一例を示す図である。図１６（Ａ）に示すように、端末装置１８のＵＩ部８４（表示部）に、パッケージ組立体の正面側の輪郭形状１４１（位置合わせ用画像ともいう）を表示する。ＵＩ部８４に輪郭形状１４１が表示された状態で、カメラ８６によりパッケージ組立体１５０の正面側が撮像され、撮像画像がＵＩ部８４に表示される。それにより、図１６（Ｂ）に示すように、ＵＩ部８４には、撮像画像と、その撮像画像にオーバーラップさせた輪郭形状１４１とが表示された状態となる。ユーザは、図１６（Ｂ）に示すように、ＵＩ部８４において、撮像画像におけるパッケージ組立体の正面部分１４５が輪郭形状１４１に合うように、端末装置１８またはパッケージ組立体１５０を位置合わせする。
【００７９】
そして、図１６（Ｂ）に示すように、ＵＩ部８４において、輪郭形状１４１に、撮像画像におけるパッケージ組立体の正面部分１４５が位置合わせされた状態で、カメラ８６がパッケージ組立体１５０を読み取り画像情報を取得する。この読み取りは、ユーザがシャッターボタンを押すこと、或いは、位置合わせされたときにカメラ８６が自動でシャッターをきることで行われる。
【００８０】
そして、端末装置１８により取得されたパッケージ組立体の画像情報は、サーバ１３へ送信される。サーバ１３は、パッケージ組立体の画像情報から、紙指紋情報を抽出する。この際の紙指紋取得領域１２９（図１４参照）は、図６等に示した一連の登録処理におけるパッケージ画像の紙指紋取得領域１２８と同じである。
【００８１】
サーバ１３は、抽出された紙指紋情報と、サーバ１３にある関連付け情報５０および宛名データベース１５６から、端末装置１８のカメラ８６で読み取られたパッケージ組立体１５０に対応づけられたＩＤと、出荷先（住所および名前）を特定する。具体的には、抽出された紙指紋情報を、関連付け情報５０（図８参照）に登録された複数の紙指紋情報の中から探索し、探索された紙指紋情報に関連づけたＩＤを特定する。そして、特定されたＩＤに対応づけられた出荷先（住所および名前）を、宛名データベース１５６（図１５参照）から特定する。
【００８２】
そして、サーバ１３は、特定されたＩＤおよび出荷先を端末装置１８へ送信する。端末装置１８は、ＩＤおよび出荷先をサーバ１３から受け付け、図１６（Ｂ）に示すようにＵＩ部８４に表示する。図１６（Ｂ）には、特定されたＩＤである「００１２３」と、住所である「東京都中央区日本橋＊＊＊＊＊」と、名前である「山田＊＊」とが、ＵＩ部８４に表示されている様子が示されている。
【００８３】
以上説明したように、関連付け情報５０を利用することにより、各パッケージ組立体１５０の出荷先が確認される。なお、図１６（Ｂ）に示すように、端末装置１８のＵＩ部８４に、「出荷伝票印刷」のボタン１６４を表示し、ユーザがそのボタン１６４を押下した際には、ＵＩ部８４に表示されている出荷先（住所および名前）の出荷伝票が、不図示の印刷装置から印刷されるようにしてもよい。
【符号の説明】
【００８４】
１０  印刷物管理システム、１２  サーバ（印刷物管理装置）、１３  サーバ、１４  画像形成装置、１６  イメージスキャナ（読取装置）、１８  端末装置、２０  ネットワーク、２２  制御部、２４  記憶部、２６  通信部、３０  第１受付部、３２  第１抽出部、３４  記憶制御部、３６  第２受付部、３８  第２抽出部、４０  特定部、５０  関連付け情報、５２  ログ、６０  制御部、６２  記憶部、６４  画像形成部（印刷部）、６６  ＩＬＳ（読取部）、６８  通信部、７０  制御部、７２  記憶部、７４  読取部、７６  通信部、８０  制御部、８２  記憶部、８４  ＵＩ部（表示部）、８６  カメラ（撮像装置，読取部）、８８  通信部、９０  読取制御部、９２  表示制御部、９４  印刷サーバ、９６  端末装置、１００  媒体、１０２  ＩＤを示す画像（識別情報を示す画像）、１０４  パッケージ画像（対応画像）、１０６  パッケージ印刷物（切抜印刷物）、１１０  ロゴ部、１１２  顔画像部、１１４  名前部、１２０ａ  パッケージ画像の読取画像情報、１２０ｂ  印刷物画像情報、１２２  ロゴ部、１２８，１２９  紙指紋取得領域、１３０  外郭、１４０，１４１  輪郭形状（位置合わせ用画像）、１４４  パッケージ印刷物の部分、１４５  パッケージ組立体の正面部分、１５０  パッケージ組立体、１５６  宛名データベース、１６４  ボタン。
【図１】
2020048144.tif 000003
【図２】
2020048144.tif 000004
【図３】
2020048144.tif 000005
【図４】
2020048144.tif 000006
【図５】
2020048144.tif 000007
【図６】
2020048144.tif 000008
【図７】
2020048144.tif 000009
【図８】
2020048144.tif 000010
【図９】
2020048144.tif 000011
【図１０】
2020048144.tif 000012
【図１１】
2020048144.tif 000013
【図１２】
2020048144.tif 000014
【図１３】
2020048144.tif 000015
【図１４】
2020048144.tif 000016
【図１５】
2020048144.tif 000017
【図１６】
2020048144.tif 000018